(57)【要約】【課題】カメラの外装部材で外表面のみに金属製外装部材を用いた場合に、静電気により帯電（放電）したり、外装部材がアンテナとして機能し、周囲からノイズを拾い、カメラ内部の電気部品に悪影響を与える場合がある。【解決手段】本発明は、カメラの後蓋に導電体製の後蓋カザリが用いられていた場合に、その後蓋カザリの内側に配置された導伝体からなる圧バネと、この圧バネに付勢される導電体からなる圧板を通じて、電気回路の接地ラインに電気的に接続して、外部から到来す静電気の電荷や外装部材が周囲から拾ったノイズによる電流を電気回路の接地ラインに流し込むカメラである。【選択図】　　図１
2004037662.tif 000002
【特許請求の範囲】
【請求項１】
表面が導電体で覆われている後蓋と、
導電体で形成され、上記後蓋に対し光軸方向に進退可能に支持されフィルムの光軸方向の位置を規制するための圧板と、
導電体で形成され、上記圧板をフィルムに向けて付勢する付勢手段と、
を具備し、
上記付勢手段を介して上記後蓋の導電部と圧板とが電気的に接続されることを特徴とするカメラ。
【請求項２】
外観面を形成し、導電体からなる第１の後蓋部材と、
上記第１の後蓋部材の内側に固定され、絶縁体からなる第２の後蓋部材と、
導電体で形成され、上記第２の後蓋部材に対し、光軸方向に進退可能に支持されフィルムの光軸方向の位置を規制するための圧板と、
導電体で形成され、上記圧板をフィルムに向けて付勢する付勢手段と、
を具備し、
上記付勢手段を介して上記第１の後蓋部材と圧板とが電気的に接続されることを特徴とするカメラ。
【請求項３】
上記第２の後蓋部材に設けられた、上記付勢手段の位置を規制するための貫通穴を有し、上記付勢手段は上記貫通孔に挿通された状態で、一端部が上記第１の後蓋部材に当接し、他端部が上記圧板に当接することを特徴とする請求項２に記載のカメラ。
【発明の詳細な説明】
【０００１】
【発明の属する技術分野】
本発明は、外装部材に金属を用いたカメラに係り、特にカメラの内部機構を通じて外部から到来する電気的なノイズを電気回路の接地ラインに流し込むカメラに関する。
【０００２】
【従来の技術】
近年のカメラにおいて、その外観の良さや高級感などの印象をユーザーに与えるために、金属からなる外装部材でカメラ本体を覆っているカメラがある。
【０００３】
このような外装部材は、例えばカメラの前側を覆う前カバーと後側を覆う後カバーとした場合に、これらの合わせ部や各種操作部材を取付けるための取り付け部などで形状が複雑になる上、カメラ全体に金属製のみからなる外装部材を用いることはコスト上の問題からも困難であった。
【０００４】
そこで例えば、特開平７−４３８１０号公報に記載されるように、金属製の板材を加工してカメラの外観面となる金属製カバーを作成し、その内側には、樹脂により成形された樹脂製カバーが一体的に固定された外装部材が開示されている。この樹脂カバーの内側には、カメラ本体の各種操作部材を取付けるための突起部やネジ穴等の取り付け部が設けられている。
【０００５】
【発明が解決しようとする課題】
前述した公報に記載される外装部材は、外表面のみが金属製で導電性を有しているが、内部の樹脂が絶縁性である。この外装部材でカメラ本体を覆った場合、静電気により帯電（放電）したり、また外装部材がアンテナとして機能し、周囲からノイズを拾い、カメラ内部の電気部品に悪影響を与える場合がある。
【０００６】
これは金属製の外装部材をカメラの回路の接地ラインに電気的に接続すれば防止することができる。しかし、金属製の外装部材の内側には一体的に樹脂製カバーが固定されているため、金属製の外装部材を接地させる方法は限られるものとなる。簡単な方法としては、ビス等を外装部材の外側からカメラ本体の接地ラインに接触するようにビスで共締めを行うことが考えられる。しかし、この方法では、組み立て工数が増えるだけでなく、ビスが目立ってしまい、外観の良さや高級感などを持たせるために金属製の外装部材を用いた効果が半減しかねない。
【０００７】
一方、カメラ内部で接地させる場合には、フレキシブル基板の接地ラインと外装部材とを電気的に接続させるために、新たな導電性の部材を設けることとなり、部材数が増加するうえ、そのためのスペースを確保しなくてはならない。
そこで本発明は、部品点数を増やすことなく、簡単な構成で金属製の外装部材を接地することが可能なカメラを提供することを目的とする。
【０００８】
【課題を解決するための手段】
本発明は上記目的を達成するために、表面が導電体で覆われている後蓋と、導電体で形成され、上記後蓋に対し光軸方向に進退可能に支持されフィルムの光軸方向の位置を規制するための圧板と、導電体で形成され、上記圧板をフィルムに向けて付勢する付勢手段とを備え、上記付勢手段を介して上記後蓋の導電部と圧板とが電気的に接続されるカメラを提供する。
【０００９】
また、外観面を形成し、導電体からなる第１の後蓋部材と、上記第１の後蓋部材の内側に固定され、絶縁体からなる第２の後蓋部材と、導電体で形成され、上記第２の後蓋部材に対し、光軸方向に進退可能に支持されフィルムの光軸方向の位置を規制するための圧板と、導電体で形成され、上記圧板をフィルムに向けて付勢する付勢手段とを備え、上記付勢手段を介して上記第１の後蓋部材と圧板とが電気的に接続されるカメラを提供する。さらに上記第２の後蓋部材に設けられた、上記付勢手段の位置を規制するための貫通穴を有し、上記付勢手段は上記貫通孔に挿通された状態で、一端部が上記第１の後蓋部材に当接し、他端部が上記圧板に当接する。
【００１０】
以上のような構成のカメラは、外装部材の導電体が圧バネ、圧板及び圧板押さえ板を介して、電気回路の接地ラインに電気的に接続され、静電気により帯電する電荷や、外装部材がアンテナとして機能して周囲から拾ってしまったノイズを接地ラインに流し込ませる。
【００１１】
【発明の実施の形態】
以下、図面を参照して本発明の実施形態について詳細に説明する。
図１は、本発明の実施形態に係るカメラの横断面の構成例を示し、図２はこのカメラの後蓋の構成例を示し、図３はこの構成例における金属製の外装部材から電気回路の接地ラインまでの電気的な接続関係を示している。
このカメラ１は、カメラ本体２が外装部材となる前カバー１０１、後蓋２１が開閉自在に取り付けられた後カバー１０２により外装されている。勿論、前後の２分割となっていてもよい。これらの前カバー１０１、後蓋２１及び後カバー１０２のそれぞれは、絶縁特性を持つ樹脂等により形成された前カバーモールド１８、後蓋モールド２２及び後カバーモールド１３の表面に、導電体である金属等により形成された前カバーカザリ３、後蓋カザリ４及び後カバーカザリ５が接着剤などにより固定されている。
【００１２】
カメラ本体２は、固定枠６とボディ本体７とが複数のネジ８によりネジ止めされて、フィルムパトローネ９が装填されるパトローネ室１０とスプール室１１が固定枠６を挟んで両側に配置されるように構成される。パトローネ室１０の外側には、図示しないストロボの発光用電源となるコンデンサ１２ａ、１２ｂが配置され、後カバーモールド１３により固定されている。また、スプール室１１内には、図示しないモータにより回転してフィルムを巻き取るためのスプール１４と、スプール１４に巻き取られているフィルムが浮かないように押さえるガイド板１５が設けられている。後述する後蓋２１側にも同様なガイド板１９が設けられている。スプール室１１の外側には、後蓋２１が開かないように係止させるためのカギレバー１７が設けられており、図示しない後蓋開閉ボタンの操作によりカギレバー１７の係止が外れて、後蓋２１が開けられる。また、上述のように前カバーカザリ３の内側に固定された前カバーモールドと、後カバーカザリの内側に固定された後カバーモールドと、が喰い合わされることにより、前カバー１０１と後カバー１０２との間が遮光される。カメラ本体２に前カバーカザリ３を固定するための樹脂等からなる前カバーモールド１８が設けられている。
【００１３】
次に図１及び図２参照して、後蓋２１の構成について説明する。
この構成例では、後蓋２１は、後蓋モールド２２と後蓋カザリ４とを一体化した構成である。この後蓋カザリ４は、導電体例えば、アルミニウム、ステンレス鋼、チタンやマグネシウム等の金属からなる鋼板を絞り加工により成型したものである。この後蓋カザリ４の内側には、樹脂により成型された後蓋モールド２２が固定されている。この後蓋カザリ４と後蓋モールド２２とで主として後蓋２１が構成される。この後蓋モールド２２は、中央には後述する表示素子用の開口部２２ａと、フィルムパトローネ９の装着の有無を確認するためのパトローネ窓用の開口部２２ｂが開口され、その周辺には、カメラの各種部材を取り付けるための取り付け部（図示せず）と４つの後述する圧バネ用開口部２２ｃが設けられ、左右の横側には後蓋２１をカメラ本体２に係止するためのフックやヒンジが設けられている。
【００１４】
また後蓋モールド２２の内側外周に沿って、中央に凸部を有する溝が形成され、気密性や遮光性を保持させるための蓋ゴム２３が嵌め込まれている。尚、後蓋カザリ４は、表面に防錆機能や絶縁機能を持たせるためにアルマイト処理若しくは塗装が施され、また後蓋モールド２２の開口部２２ａ、２２ｂと同様な開口部が開口され、さらに必要に応じて操作釦等のための開口部が開口されている。
【００１５】
上記パトローネ窓用の開口部２２ｂには、透明樹脂若しくはガラス等からなる窓部材２４が嵌挿され、周囲には遮光用のモルトプレンなどからなるパトローネモルト２５が固定されている。また、ＡＴフレキシブル基板２７は、日付等の撮影に関する情報が表示される表示素子（ＬＣＤ）２６が搭載され、表示回路を含む各種回路が形成されている。
【００１６】
このＡＴフレキシブル基板２７は、後蓋モールド２２との間に表示確認用の窓からの光を遮光するためのＬＣＤモルト２８を配した状態で、金属からなるフレキシブル基板押さえ板２９（以下、押さえ板とする）により後蓋モールド２２との間で挟持される。この押さえ板２９は、固定用孔２９ｂからビス３０によりネジ穴２２ｄにてビス締めされて固定される。この状態で、ＡＴフレキシブル基板２７に接続された表示素子２６の表示が表示素子用の開口部２２ａを介して観察することができる。
【００１７】
この押さえ板２９には、後述する圧バネ用孔２９ａ、固定用孔２９ｂが上下にそれぞれ２個ずつ開口され、また上下に２個ずつの、コの字状に屈曲して形成されたつめ部２９ｃが設けられている。そして、導電体、例えば金属からなる圧板３１の上下には、それぞれ上記つめ部２９ｃに嵌装される突起部３１ａが形成されている。
【００１８】
この圧板３１の突起部３１ａが押さえ板２９のつめ部２９ｃに嵌装される際には、後蓋モールド２２に形成された圧バネ３２を保持するための貫通孔である開口部２２ｃと押さえ板２９に形成された圧バネ用孔２９ａが連通した孔に圧バネ３２を入れて、圧板３１が圧バネ３２により押し出される方向に付勢された状態で押さえ板２９に取り付けられている。特に、これらの圧バネ３２が接触する後蓋カザリ４の表面のアルマイト膜や塗装は除去されており、金属表面が露出されている。
【００１９】
一方、圧板３１はアルミニウムの表面をアルマイト処理などのにより絶縁層が全体に形成されているが、圧バネ３１が当接する箇所については、この絶縁層が除去されている。よって、後蓋カザリ４と圧板３１とは、圧バネ３２の両端部がそれぞれ圧接されることにより、圧バネ３２を介して電気的に接続されている。この圧バネ３２は、通常用いられているコイルバネを想定しているが、これに限定されるものではなく、圧板の付勢に用いられて、金属等の導電性を有する材料により形成されているものであれば容易に適用できることは勿論である。
【００２０】
また、ＡＴフレキシブル基板２７には、それぞれ接地ラインが周辺部にパターン形成された、切り欠き部２７ａと接続用孔２７ｂが設けられている。また押さえ板２９には、この切り欠き部２７ａに合致する接続用孔２９ｄが設けられている。これらは、ＡＴフレキシブル基板２７と押さえ板２９が後蓋モールド２２に取り付けられた際に、切り欠き部２７ａと接続用孔２９ｄとが重なり、ビス３３で共締めされて、接地ラインにおいて電気的に接続される。
【００２１】
また、ＡＴフレキシブル基板２７が後蓋モールド２２に取り付けられた際に接続用孔２７ｂが後蓋モールド２２の突起部２２ｄに嵌められ、この上から接地ラインが周辺に形成されたＨフレキシブル基板３４の接続用孔３４ａが嵌め込まれ、ビス３５によりコネクトワッシャ３６及びコネクトゴム３７を介在させて共締めされている。Ｈフレキシブル基板３４には、ＡＴフレキシブル基板２７の電気回路と図示しないＣＰＵ等を含む主電気回路とを接続させるための配線パターンが形成されている。このような共締めにより、ＡＴフレキシブル基板２７の接地ラインが主電気回路の接地ラインに電気的に接続される。
【００２２】
引き続き、図４、５を参照して、圧板３１の取り付け状態について説明する。ここで、図４は、圧板３１の位置決めについて説明するための斜視図であり、図５は、カメラ縦方向の断面図である。上述のように圧板３１は、圧バネ３２の付勢力により、つめ部２９ｃに突起部３１ａが当接することにより、光軸方向（後蓋モールド２２から離間する方向）の位置が規制されている。一方、フィルムの給送方向の位置決めは、突起部３１ａに隣接してこの突起部３１ａによりも突出するように形成された位置決め部３１ｂが、後蓋モールド２２に当接された位置決め用突起部２２ｅと押さえ板２９のつめ部２９ｃとの間に配されることによってなされている。そして、圧板３１の位置決め突起部３１ｂの側部と押さえ板２９のつめ部２９ｃの側部とが接触することにより、圧板３１と押さえ板２９とが電気的に接続されている。
【００２３】
また、後蓋１０２を閉じた状態において、押さえ板２９のつめ部２９ｃは、ボディ本体７に形成された圧板レール面７ｂの一部を切除して形成された逃げ部７ｃに配される。一方、圧板３１は、図５に示すように、ボディ本体７に形成された圧板レール面７ｂに圧バネ３２の付勢力により当接し、つめ部２９ｃから離間する。そして、この時、ボディ本体７に形成されたフィルムレール面７ａと圧板３１との間にフィルムが挿通されるフィルム通路が形成され、圧板３１により、フィルムの平面性が保たれる。
【００２４】
図３を参照して、このような構成における外装部材となる後蓋カザリ４から主電気回路の接地ラインまでの電気的な経路について説明する。
【００２５】
前述した様に、Ａ：後蓋カザリ４の絶縁膜（アルマイト膜等）が除去されて金属面が露出した部分には、圧バネ３２の一端が接触する。Ｂ：その圧バネの他端は、圧板３１にバネの付勢力により確実に接触する。そして、Ｃ：金属からなる圧板３１の突起部３１ａが押さえ板２９のつめ部２９ｃに嵌装することにより、金属からなる押さえ板２９と電気的に接続される。Ｄ：押さえ板２９が後蓋モールド２２に取り付けられた際に、共に接地ラインが形成された押さえ板２９の接続用孔２９ｄとＡＴフレキシブル基板２７の切り欠き部２７ａとがビス３３で共締めされて、押さえ板２９と接地ラインが電気的に接続される。Ｅ：ＡＴフレキシブル基板２７の接続用孔２７ｂがＨフレキシブル基板３４の接続用孔３４ａとビス３５により共締めされて電気的接続される。Ｆ：Ｈフレキシブル基板３４の接地ラインを通じて、主電気回路の接地ラインに接続されることになる。
【００２６】
以上説明したように本実施形態によれば、外装部材と主電気回路の接地ラインが電気的に接続することとなり、静電気による帯電した電荷や、また外装部材がアンテナとして機能して周囲から拾ってしまったノイズは、接地ラインに流れ込むため、カメラ内部の電気部品に悪影響を与えることを防止することできる。
【００２７】
次に前述した実施形態の変形例について説明する。
カメラの中には、磁気記録領域を持つフィルム使用し、撮影に関する情報を記録するカメラがある。前述した実施形態では、導電体の圧板を使用して、この部分がノイズ電流の通路の一部となっているため、磁気記録領域にこの圧板が接してノイズ電流が流れた場合、記録中の情報に悪影響を与えてしまう。尚、ここでは、既に記録されている情報は、撮影されたコマと共にパトローネに巻き取られているものとしている。もし、既に記憶されている磁気記録領域が圧板に接していた場合には、勿論、悪影響が及ぶことになる。
【００２８】
そこで、突起部３１ａを除くフィルムに接する圧板３１の表面にセラミックスを焼結したり、絶縁膜を設けて、電気的に分離する状態を作り出す。しかし、ノイズ電流が比較的大きな電流であった場合には、記録中の情報に影響を与えかねないため、アース電流をモニタしておき、記録中に急峻な変化が発生した場合には、警告を発生してユーザーに告知することも可能である。また、フィルムの磁気記録媒領域に圧板３１が接しないように浮かしたり、接触する圧板部分をカットする加工を施してもよい。勿論、圧板を加工しなくとも警告だけであってもよい。
【００２９】
以上の実施形態について説明したが、本明細書には以下のような発明も含まれている。
【００３０】
１．外観面を形成し、導電体からなる第１の後蓋部材と、
上記第１の後蓋部材の内側に固定され、絶縁体からなる第２の後蓋部材と、
導電体で形成され、上記第２の後蓋部材に対し、光軸方向に進退可能に支持されフィルムの光軸方向の位置を規制するための圧板と、
導電体で形成され、上記圧板をフィルムに向けて付勢するコイルばねと、
を具備し、
上記付勢手段を介して上記第１の後蓋部材と圧板とが電気的に接続されることを特徴とするカメラ。
【００３１】
２．上記第２の後蓋部材に設けられた、上記付勢手段の位置を規制するための孔（貫通穴）と、
上記第２の後蓋部材に設けられ、上記圧板のフィルム側への移動を規制可能な位置規制部と、
を具備し、
上記孔にコイルばねを挿通した状態で、上記コイルばねの一端部が上記第１の後蓋部材に当接し、他端部が上記圧板に当接することを特徴とする上記１項に記載のカメラ。
【００３２】
３．上記圧板が上記位置規制部に当接した状態で、上記コイルばねは所定量チャージされることを特徴とする上記２項に記載のカメラ。
【００３３】
【発明の効果】
以上詳述したように本発明によれば、部品点数を増やすことなく、簡単な構成で金属製の外装部材を接地することが可能なカメラを提供することができる。
【図面の簡単な説明】
【図１】本発明の実施形態に係るカメラの横断面の構成例を示す図である。
【図２】本実施形態のカメラの後蓋の構成例を示す図である。
【図３】本実施形態における金属製の外装部材から電気回路の接地ラインまでの電気的な接続関係を示す図である。
【図４】圧板の位置決めについて説明するための斜視図である。
【図５】圧板の位置決めについて説明するためのカメラ縦方向の断面図である。
【符号の説明】
１…カメラ
２…カメラ本体
４…後蓋カザリ
７…ボディ本体
２１…後蓋
２２…後蓋モールド
２２ａ、２２ｂ…開口部
２７…ＡＴフレキシブル基板
２７ａ…切り欠き部
２７ｂ…接続用孔
２８…ＬＣＤモールド部
２９…フレキシブル基板押さえ板（押さえ板）
２９ａ…接続用孔
２９ｂ…つめ部
３１…圧板３１
３１ａ…突起部
３２…圧バネ
３４ａ…接続用孔
【図１】
2004037662.tif 000003
【図２】
2004037662.tif 000004
【図３】
2004037662.tif 000005
【図４】
2004037662.tif 000006
【図５】
2004037662.tif 000007